(57)【要約】【課題】静電気の影響によってマイクロホンが雑音を拾うことを防止する。【解決手段】電子機器１は、マイクロホン１２ａ，１２ｂの外面を覆い、導電性を有するとともにグランド接続されたシールド部材１４と、該シールド部材を該電子機器の内側から支える支持部材１６とを有する。支持部材は、導電性を有し、かつグランド接続されている。また、電子機器は、マイクロホンを保持するマイク保持部材１３を有し、支持部材は、マイクロホンを露出させる開口を有するとともにマイク保持部材の外周を覆う。  【選択図】図２
2009152809.tif 000002
【特許請求の範囲】
【請求項１】
マイクロホンを備えた電子機器であって、
前記マイクロホンの外面を覆い、導電性を有するとともにグランド接続されたシールド部材と、
前記シールド部材を該電子機器の内側から支える支持部材とを有し、
前記支持部材は、導電性を有し、かつグランド接続されていることを特徴とする電子機器。
【請求項２】
前記マイクロホンを保持するマイク保持部材を有し、
前記支持部材は、前記マイクロホンを露出させる開口を有するとともに前記マイク保持部材の外周を覆うことを特徴とする請求項１に記載の電子機器。  
【発明の詳細な説明】
【技術分野】
【０００１】
本発明は、ビデオカメラ、デジタルスチルカメラ、ＩＣレコーダ、携帯電話等のマイクロホンを内蔵した電子機器に関する。
【背景技術】
【０００２】
マイクロホンを備えた電子機器では、外部からの静電気の影響によりマイクロホンが雑音を拾うことを回避する必要がある。このため、特許文献１には、外装カバーの開口部とマイクロホンとの間に、グランド接続（接地）されたシールド部材（金属網）を配置したマイクロホン装置が開示されている。シールド部材をグランド接続することで、静電気の影響が除去され、マイクロホンが雑音を拾うことが防止される。
【０００３】
一方、ビデオカメラ等の電子機器ではデザインが重視され、マイクロホンの前面の外観部に、アルミニウム等の金属多孔板や金属網により作られたシールド部材が取り付けられる場合が多い。ただし、金属多孔板や金属網の面積が大きくなると強度が不足してしまい、外力が加わると凹む等、変形し易い。このため、金属多孔板や金属網を電子機器の内側から支える静圧受け部材を配置することがある。
【特許文献１】特開２００５−０８６２３１号公報
【発明の開示】
【発明が解決しようとする課題】
【０００４】
しかしながら、シールド部材のグランド接続が不安定になったり、シールド部材によって除去しきれない静電気の影響があったりすると、マイクロホンが雑音を拾うことを確実に防止できない。
【０００５】
本発明は、静電気の影響によってマイクロホンが雑音を拾うことをより効果的に防止できるようにした電子機器を提供する。
【課題を解決するための手段】
【０００６】
本発明の一側面としての電子機器は、マイクロホンの外面を覆い、導電性を有するとともにグランド接続されたシールド部材と、該シールド部材を該電子機器の内側から支える支持部材とを有する。そして、支持部材は、導電性を有し、かつグランド接続されていることを特徴とする。
【発明の効果】
【０００７】
本発明によれば、シールド部材に加えて、これを支える支持部材にも導電性を持たせて、かつグランド接続する。これにより、支持部材にもシールド効果を与えることができる。このため、マイクロホンの周辺には、シールド部材と支持部材からなる２重のシールド構造が設けられることになる。したがって、シールド部材のグランド接続が不安定になったりシールド部材だけでは除去しきれない静電気の影響があったりする場合でも、支持部材のシールド効果によってマイクロホンが雑音を拾うことを効果的に防止できる。
【発明を実施するための最良の形態】
【０００８】
以下、本発明の実施例について図面を参照しながら説明する。
【０００９】
図１には、本発明の実施例である電子機器としてのビデオカメラ（撮像装置）の外観を示す。カメラ本体１には、撮像光学系を収容した撮像レンズ部６、該撮像レンズ部６のズーム倍率を変更するズームレバー２、静止画撮像を行うためのフォトボタン３、音声を取り込むマイク部４、画像を表示するディスプレイユニット７が設けられている。また、カメラ本体１の内部には、画像や音声を記録したり再生したりする記録再生部が設けられている。５は使用者が該ビデオカメラを保持するためのグリップベルトである。
【００１０】
図２には、マイク部４を分解して示す。ステレオマイクロホン１２は、左マイクロホン１２ａ及び右マイクロホン１２ｂにより構成されており、各マイクロホンは、マイク保持部材としてのマイクラバー１３に組み込まれている。マイクラバー１３はゴムにより形成されており、マイクロホン１２ａ，１２ｂが受ける雑音や外部からの振動を低減させる役割を有する。
【００１１】
１４は金属網により形成されたシールド部材としてのマイクメッシュである。マイクメッシュ１４は、目隠しクロス１５とともに、支持部材であるマイクメッシュベース１６とマイク部外観カバー１７とにより挟まれて保持されている。マイクメッシュベース１６は、マイクメッシュ１４に外力（静圧）が作用した場合にマイクメッシュ１４が変形しないように、マイクメッシュ１４をビデオカメラ本体１の内側から支えている。
【００１２】
マイクロホン１２ａ，１２ｂが組み込まれたマイクラバー１３は、マイクメッシュベース１６とマイクプレート１８とにより挟まれ、マイクプレート１８の孔に裏側から挿入されたビス１９によってマイクメッシュベース１６がマイクプレート１８に固定される。
【００１３】
マイクプレート１８は、ビデオカメラ本体１のＧＮＤ（グランド）に接続され、接地されている。マイクガスケット２０は、マイクメッシュ１４とマイクプレート１８の両方に接するように取り付けられている。
【００１４】
図３には、マイク部外観カバー１７を除いたマイク部４の組み立て状態を示している。マイクメッシュ１４（及び目隠しクロス１５）は、マイクロホン１２ａ，１２ｂの外面（前面）を覆っている。
【００１５】
マイクメッシュ１４とマイクプレート１８によってマイクガスケット２０を挟み込むことで、マイクメッシュ１４のグランド接続（接地）が行われる。グランド接続されたマイクメッシュ１４は、静電気をビデオカメラ本体１にアースして、マイクロホン１２ａ，１２ｂに雑音が発生することを防止するシールド効果を発揮する。
【００１６】
図４には、図３のマイク部４からマイクメッシュ１４を除いた状態を示す。図中の１６ｃは、マイクメッシュ１４の左右端部が係合する係合部である。
【００１７】
ここで、マイクメッシュベース１６は、導電性を有する。導電性を有するとは、金属等の導電性材料により形成されている場合、導電性の成分を含んだ非金属等の材料により形成されている場合及び樹脂により形成された部材の表面に導電性塗料が塗布されたり導電膜が形成されたりする場合を含む。
【００１８】
導電性を有するマイクメッシュベース１６は、同じく導電性を有するビス１９及びマイクプレート１８を介してグランド接続が行われる。このように、導電性を有するマイクメッシュベース１６がグランド接続されることにより、マイクメッシュベース１６も上述したシールド効果を発揮する。
【００１９】
マイクメッシュベース１６には、マイクラバー１３に組み込まれたマイクロホン１２ａ，１２ｂを露出させるため孔（開口）１６ａ，１６ｂが形成されている。マイクメッシュベース１６は、マイクメッシュ１４に作用する外力（静圧）を受けることができるように、孔１６ａの部分を除きマイクラバー１３の外周（前面、左右側面及び上下面）を覆っている。また、マイクメッシュベース１６の孔１６ａ，１６ｂの周囲部分がマイクロホン１２ａ，１２ｂを取り囲むことにより、マイクロホン１２ａ，１２ｂに対するシールド効果が得られる。
【００２０】
以上のような構成によれば、マイクメッシュベース１６が、マイクメッシュ１４とともにシールド効果を有することで、マイクロホン１２ａ，１２ｂに対する二重のシールド構造が形成される。このため、マイクメッシュ１４のグランド接続が不安定になったりマイクメッシュ１４だけでは除去しきれない静電気の影響があったりする場合でも、マイクメッシュベース１６のシールド効果によりマイクロホン１２ａ，１２ｂが雑音を拾う可能性を低くできる。つまり、静電気の影響による雑音を効果的に除去することができる。
【００２１】
特に、マイクメッシュベース１６は、マイクロホン１２ａ，１２ｂの前面を除くマイクラバー１３の外周を大きく覆っているため、高いシールド効果を発揮することができる。
【００２２】
以上説明した各実施例は代表的な例にすぎず、本発明の実施に際しては、各実施例に対して種々の変形や変更が可能である。
【００２３】
例えば、上記実施例では、シールド部材として金属網（メッシュ材）であるマイクメッシュ１４を用いた場合について説明したが、金属多孔板や、導電性の成分を含む非金属材料により形成されたシールド部材を用いてもよい。
【００２４】
また、シールド部材（マイクメッシュ１４）、支持部材（マイクメッシュベース１６）及びマイクロホン１２ａ，１２ｂ等の各構成要素の具体的な形状や取り付け方法は、上記実施例のものに限らず、任意に変更可能である。
【００２５】
さらに、上記実施例では、ビデオカメラについて説明したが、本発明は、マイクロホンを内蔵したデジタルスチルカメラ（撮像装置）、ＩＣレコーダ、携帯電話等の各種電子機器に適用することができる。
【図面の簡単な説明】
【００２６】
【図１】本発明の実施例であるビデオカメラの外観図。
【図２】実施例の電子機器のマイク部の分解斜視図。
【図３】実施例のマイク部の斜視図であり、マイク部外観カバーを除いた状態を示す。
【図４】実施例のマイク部の斜視図であり、図３からマイクメッシュを除いた状態を示す。
【符号の説明】
【００２７】
１  ビデオカメラ本体
４  マイク部
１１  マイクワイヤー
１２  ステレオマイクロホン
１２ａ  左マイクロホン
１２ｂ  右マイクロホン
１３  マイクラバー
１４  マイクメッシュ
１５  目隠しクロス
１６  マイクメッシュベース
１７  マイク部外観カバー
１８  マイクプレート
１９  ビス
２０  マイクガスケット
【図１】
2009152809.tif 000003
【図２】
2009152809.tif 000004
【図３】
2009152809.tif 000005
【図４】
2009152809.tif 000006